【手続補正書】
【提出日】平成30年4月20日(2018.4.20)
【手続補正１】
【補正対象書類名】明細書
【補正対象項目名】００１７
【補正方法】変更
【補正の内容】
【００１７】
上記目的達成のため、本願発明による二枚貝自動穿孔機の穿孔姿勢矯正装置は、
投入された貝を搬送する貝搬送部と貝を穿孔位置に移動するターンテーブル部とを備え、二枚貝の貝殻の耳状突起に養殖用ロープに貝を取り付けるための孔を穿孔する二枚貝自動穿孔機において、ターンテーブル部に複数個設けられる作業台に、穿孔時の貝の姿勢を矯正する穿孔姿勢矯正装置が設けられ、該穿孔姿勢矯正装置は、貝殻の側縁４ａに当接してａ点を形成するとともに貝殻の前耳状突起３ａの側面に当接してｂ点を形成する一の位置決めポストと、貝殻の後耳状突起３ｂの下端縁３ｄに当接しｃ点を形成する回転可能のローラからなる他の位置決めポストと、上記作業台上に送り込まれる貝を貝殻の後耳状突起方向から押圧する回動自在の一の押圧手段と、貝殻の腹側縁方向から押圧する回動自在の他の押圧手段とからなり、上記一の位置決めポストは周面部に貝抑え溝が設けられ、上記一の押圧手段の貝を押圧する押圧面に他の貝押え溝が設けられ、上記各貝押え溝間にて、穿孔位置にセットされた貝の耳状突起を両端部から挟持するとともに、上記他の押圧手段の下部に貝押えが設けられ、該貝押えにより穿孔時の上方への反動動作を押圧することを特徴とする。
また、請求項１記載の二枚貝自動穿孔機の穿孔姿勢矯正装置において、上記一の位置決めポストの貝押え溝及び上記一の押圧手段の貝押え溝がいずれも周面に形成された水平のギザギザからなることを特徴とする。
また、請求項１又は請求項２記載の二枚貝自動穿孔機の穿孔姿勢矯正装置において、上記他の押圧手段の貝押えが貝方向に突設されたフレームからなることを特徴とする。
【手続補正２】
【補正対象書類名】明細書
【補正対象項目名】００２３
【補正方法】変更
【補正の内容】
【００２３】
上記矯正プレート２５は、上記搬送チェーン２３のチェーンリンク２３ａにアタッチメント２３ｂを介して取り付けられる取付部２５ａと、矯正面２５ｄが鈍角β（図５（Ｃ）に示す。図示実施例ではβ＝１４０°）に傾斜して形成されるとともに該矯正面２５ｄがコンベヤ２１の回転方向とは反対方向に向けて設けられる傾斜部２５ｂと、下端部が上記取付部２５ａに連続するとともに上端部が上記傾斜部２５ｂに連続する起立部２５ｃとからなる。上記起立部２５ｃはその高さＨ1が搬送される貝１の耳状突起３の高さＨ2未満（起立部高Ｈ1＜貝の耳状突起高Ｈ2）に形成される（図５（C）に示す）。貝の耳状突起高Ｈ2は投入・搬送される貝１の最低高さに設定される。
【手続補正３】
【補正対象書類名】明細書
【補正対象項目名】００２６
【補正方法】変更
【補正の内容】
【００２６】
上記第１の位置決めポスト３４は、図７（A）（B）に示すように、中空円筒状に形成された比較的大径のステンレス製支柱であり、円形状面３４ｂがほたて貝１の側に形成される。上記第１の位置決めポスト３４は貝殻の側縁４ａに当接するａ点及び前耳状突起３ａの側面に当接するｂ点を形成する。上記第２の位置決めポスト３５は貝殻の後耳状突起３ｂの下端縁３ｄに当接するｃ点を形成する。第１の位置決めポスト３４の周面部は水平のギザギザからなる貝押え溝３４ａが形成される。上記第２の位置決めポスト３５は、回転可能の回転ローラからなり、円柱状に形成されたステンレス製支柱である。上記第２の位置決めポスト３５は、耳状突起３の下端縁３ｄが摺接されて後耳状突起３ｂに当たるように、上記第１の位置決めポスト３４と並べて設けられる。上記第２の位置決めポスト兼回転ローラ３５の周面には軸方向にローレット溝３５ａ（図１２に示す）が形成される。
【手続補正４】
【補正対象書類名】明細書
【補正対象項目名】００２９
【補正方法】変更
【補正の内容】
【００２９】
第１押圧手段４１は、図８及び図９に示すように、舌片状に形成されたステンレス板からなり、正逆方向に回動自在である。該第１押圧手段４１は、ほたて貝１が図５（Ｂ）に「１ｂ」で示す水平状態の穿孔位置Ｐ２になったとき、貝殻の腹側縁４ｂ（図７（Ｂ）に示す）に当接し、ほたて貝１を図７（Ａ）に矢印Ｘで示す直線方向に押圧する。第１押圧手段４１の下部４１ａは屈曲され、該屈曲下部４１ａに貝殻の腹側縁４ｂを上方から抑えるための貝方向に突設されたフレームからなる貝押え４１ｂを設けてなる。４２は該第１押圧手段４１が係止された昇降体であり、下進するとき第１押圧手段４１をほたて貝１方向に移動せしめる。４３は上記第１押圧手段４１を原位置に復帰せしめる引張りばねである。
【手続補正５】
【補正対象書類名】明細書
【補正対象項目名】００３９
【補正方法】変更
【補正の内容】
【００３９】
かかる場合であっても、第２押圧手段４４がほたて貝１の前耳状突起３ａを押圧するので、これにより貝１はｃ点に接触していた場合、ｃ点を滑るように案内されてその方向が若干修正され、第１の位置決めポスト３４に２点で当接するから、３点支持が実現する。
【手続補正６】
【補正対象書類名】明細書
【補正対象項目名】００４８
【補正方法】変更
【補正の内容】
【００４８】
図１２に基づき回転ローラ３５の回転の仕組みをみる。乗せ換え位置Ｐ１において、押圧ローラ３７がスリット板３６を押圧すると、該スリット板３６が回転ローラ３５側に変形されるので、スリット板３６のスリット３６ａを介して回転力が回転ローラ３５に伝達される。これにより、回転ローラ３５が回転するのである。
【手続補正７】
【補正対象書類名】明細書
【補正対象項目名】００５２
【補正方法】変更
【補正の内容】
【００５２】
図１０において、例えば乗せ換え位置Ｐ１にある貝の口が「開」になっているような場合、口を開けた貝の貝殻がターンテーブル３１の回転に伴いガイド板６３に接触すると貝が自ら口を閉じるので、貝１がドリル５１等の穿孔装置のどこにも干渉することない。よってターンテーブル３１が乗せ換え位置Ｐ１から穿孔位置Ｐ２へ回転可能となる。
【手続補正８】
【補正対象書類名】明細書
【補正対象項目名】００５３
【補正方法】変更
【補正の内容】
【００５３】
ここで、ほたて貝１の位置決め及び固定について一言する。ほたて貝１は、第１押圧手段４１及び第２押圧手段４４により異なる方向から押圧されるため、位置決めポスト３４、３５の当接点３点及び押圧手段４１、４４による当接を加えた５点支持により、テーブル３３上の所定の乗せ換え位置及び穿孔位置Ｐ２に水平方向及び垂直方向からしっかりと固定される。
【手続補正９】
【補正対象書類名】明細書
【補正対象項目名】００５８
【補正方法】変更
【補正の内容】
【００５８】
投入されたほたて貝１は、搬送路２０ａ（図４（Ｂ）に示す）からターンテーブル３１の乗せ換え位置Ｐ１及び穿孔位置Ｐ２にくるまで、一切表面が押圧されない。よって、搬送や穿孔の際、上記した付着物の影響を実質上受けずに、またほたて貝１にストレスをかけずに、作業することができる。つまり、ほたて貝１を安定的に保持し、正確に穿孔することができる。
【手続補正１０】
【補正対象書類名】明細書
【補正対象項目名】００６１
【補正方法】削除
【補正の内容】
【手続補正１１】
【補正対象書類名】特許請求の範囲
【補正対象項目名】全文
【補正方法】変更
【補正の内容】
【特許請求の範囲】
【請求項１】
投入された貝を搬送する貝搬送部と貝を穿孔位置に移動するターンテーブル部とを備え、二枚貝の貝殻の耳状突起に養殖用ロープに貝を取り付けるための孔を穿孔する二枚貝自動穿孔機において、
ターンテーブル部に複数個設けられる作業台に、穿孔時の貝の姿勢を矯正する穿孔姿勢矯正装置が設けられ、
該穿孔姿勢矯正装置は、貝殻の側縁４ａに当接してａ点を形成するとともに貝殻の前耳状突起３ａの側面に当接してｂ点を形成する一の位置決めポストと、貝殻の後耳状突起３ｂの下端縁３ｄに当接しｃ点を形成する回転可能のローラからなる他の位置決めポストと、上記作業台上に送り込まれる貝を貝殻の後耳状突起方向から押圧する回動自在の一の押圧手段と、貝殻の腹側縁方向から押圧する回動自在の他の押圧手段とからなり、
上記一の位置決めポストは周面部に貝抑え溝が設けられ、上記一の押圧手段の貝を押圧する押圧面に他の貝押え溝が設けられ、上記各貝押え溝間にて、穿孔位置にセットされた貝の耳状突起を両端部から挟持するとともに、上記他の押圧手段の下部に貝押えが設けられ、該貝押えにより穿孔時の上方への反動動作を押圧することを特徴とする二枚貝自動穿孔機の穿孔姿勢矯正装置。
【請求項２】
請求項１記載の二枚貝自動穿孔機の穿孔姿勢矯正装置において、上記一の位置決めポストの貝押え溝及び上記一の押圧手段の貝押え溝がいずれも周面に形成された水平のギザギザからなることを特徴とする二枚貝自動穿孔機の穿孔姿勢矯正装置。
【請求項３】
請求項１又は請求項２記載の二枚貝自動穿孔機の穿孔姿勢矯正装置において、上記他の押圧手段の貝押えが貝方向に突設されたフレームからなることを特徴とする二枚貝自動穿孔機の穿孔姿勢矯正装置。
【手続補正１２】
【補正対象書類名】図面
【補正対象項目名】図６
【補正方法】変更
【補正の内容】
【図６】
2016106551.tif 000001
【手続補正１３】
【補正対象書類名】図面
【補正対象項目名】図７
【補正方法】変更
【補正の内容】
【図７】
2016106551.tif 000002